(57)【要約】【課題】配置の自由度を維持しつつ、メンテナンス性が向上する燃料電池システムの配置構造を提供する。【解決手段】設置される通路９０の長さ方向Ｎの一方Ｉ側に燃料電池側メンテナンス面１２ｂが位置するように配置された燃料電池ユニット１２と、該燃料電池ユニット１２に対して前記長さ方向Ｎの他方Ｔ側に配置され、給湯器側メンテナンス面１８ｂが前記他方Ｔ側に位置するように配置された給湯器ユニット１４と、を有する。【選択図】図３
2018156726.tif 000002
【特許請求の範囲】
【請求項１】
設置される通路の長さ方向の一方側に燃料電池側メンテナンス面が位置するように配置された燃料電池ユニットと、
該燃料電池ユニットに対して前記長さ方向の他方側に配置され、給湯器側メンテナンス面が前記長さ方向の他方側に位置するように配置された給湯器ユニットと、
を有する燃料電池システムの配置構造。
【請求項２】
前記燃料電池ユニットは、燃料ガスを利用して発電する燃料電池モジュールと、燃料電池モジュールからの熱で加熱された伝熱媒体を貯留するタンクとを備える請求項１記載の燃料電池システムの配置構造。
【請求項３】
前記燃料電池ユニットの前記燃料電池側メンテナンス面側から延出した配管が、当該燃料電池ユニットと通路側縁との間に配索され前記給湯器ユニットに接続されている請求項１又は請求項２に記載の燃料電池システムの配置構造。
【請求項４】
前記配管は、建物との境を構成する前記通路側縁と前記燃料電池ユニットとの間に配索される請求項３記載の燃料電池システムの配置構造。
【発明の詳細な説明】
【技術分野】
【０００１】
本発明は、燃料電池システムの配置構造に関する。
【背景技術】
【０００２】
従来、水素と酸素との化学的反応を利用して発電する燃料電池システムが知られている（例えば、特許文献１参照）。
【０００３】
この燃料電池システムは、燃料電池ユニットと蓄熱ユニットとを備えている。燃料電池ユニットと蓄熱ユニットとは、燃料電池ユニットの改質器からの改質器排ガスの排出方向と、蓄熱ユニットの加熱装置からの加熱装置排ガスの排出方向とが向かい合うように配置されており、両者は、架台に固定され一体化されている。
【０００４】
燃料電池ユニットと蓄熱ユニットとは、所定の離間距離をおいて配置されており、その離間距離は、排気空間およびメンテナンススペースを確保できる距離とされている。
【先行技術文献】
【特許文献】
【０００５】
【特許文献１】特開２００８−２６２８４９号公報
【発明の概要】
【発明が解決しようとする課題】
【０００６】
しかしながら、このような燃料電池システムの配置構造にあっては、架台で一体化された燃料電池ユニットと蓄熱ユニットとの間がメンテナンススペースとされているため、保守点検作業性（以下メンテナンス性という）が悪いという問題があった。
【０００７】
本発明は、このような事情に鑑みてなされたものであり、メンテナンス性が向上する燃料電池システムの配置構造を提供することを目的とする。
【課題を解決するための手段】
【０００８】
第一態様では、設置される通路の長さ方向の一方側に燃料電池側メンテナンス面が位置するように配置された燃料電池ユニットと、該燃料電池ユニットに対して前記長さ方向の他方側に配置され、給湯器側メンテナンス面が前記長さ方向の他方側に位置するように配置された給湯器ユニットと、を有する。
【０００９】
すなわち、燃料電池ユニットの燃料電池側メンテナンス面は、給湯器ユニットと逆側に配置され、給湯器ユニットの給湯器側メンテナンス面は、燃料電池ユニットと逆側に配置される。
【００１０】
これにより、狭小な通路に燃料電池ユニットと給湯器ユニットとを並設した場合であっても、通路の一方側からアクセスすることで、燃料電池側メンテナンス面から燃料電池ユニットをメンテナンス（保守点検）することができる。また、通路の他方側からアクセスすることで、給湯器側メンテナンス面から給湯器ユニットをメンテナンスすることができる。
【００１１】
このため、燃料電池ユニットの燃料電池側メンテナンス面と給湯器ユニットの給湯器側メンテナンス面とが対向するように配置された場合と比較して、燃料電池ユニットと給湯器ユニットと間にアクセスできない狭小な通路に設置した場合であっても、燃料電池ユニット及び給湯器ユニットのメンテナンスが可能となる。
【００１２】
第二態様では、前記燃料電池ユニットは、燃料ガスを利用して発電する燃料電池モジュールと、燃料電池モジュールからの熱で加熱された伝熱媒体を貯留するタンクとを備える。
【００１３】
これにより、燃料電池ユニットに対し、複数種の給湯器ユニットを適用できる。
【００１４】
第三態様では、前記燃料電池ユニットの前記燃料電池側メンテナンス面側から延出した配管が、当該燃料電池ユニットと通路側縁との間に配索され前記給湯器ユニットに接続されている。
【００１５】
すなわち、燃料電池ユニットと蓄熱ユニット間の配管を、燃料電池ユニットと通路側縁との間において通路側縁に沿って配索することができる。
【００１６】
これにより、設置状態での外観品質を高めることができる。
【００１７】
第四態様では、前記配管は、建物との境を構成する前記通路側縁と前記燃料電池ユニットとの間に配索される。
【００１８】
これにより、配管を燃料電池ユニットと建物との間に配索することができる。また、他方の通路側縁側から見た外観品質を高めることができる。
【発明の効果】
【００１９】
第一態様の燃料電池システムの配置構造により、メンテナンス性の向上を図ることができる。
【図面の簡単な説明】
【００２０】
【図１】本発明の一実施形態に係る燃料電池システムの配置構造が適用される燃料電池システムを示す斜視図である。
【図２】同実施形態の燃料電池システムを示すブロック図である。
【図３】同実施形態の燃料電池システムの配置構造を示す平面図である。
【図４】他の実施形態の燃料電池システムの配置構造を示す平面図である。
【発明を実施するための形態】
【００２１】
以下、本実施形態に係る燃料電池システムの配置構造を図１〜図３を参照しつつ説明する。
【００２２】
この燃料電池システム１０は、図１に示したように、燃料ガス及び水を用いて発電を行う蓄熱ユニット一体型の燃料電池ユニット１２と、燃料電池ユニット１２で加熱された上水を目的の温度まで加熱する給湯器ユニット１４とを備えている。
【００２３】
燃料電池ユニット１２の筐体１２ａは、奥行寸法より幅寸法が長い直方体形状に形成されている。長手方向ＮＨに位置する左側面１２ｅから右側面１２ｆまでの幅寸法をＷ１、底面１２ｇから天面１２ｈまでの高さ寸法をＨ１、短手方向ＴＨに位置する正面１２ｄから背面１２ｃまでの奥行寸法をＤ１とすると、奥行寸法Ｄ１より幅寸法Ｗ１が長い（Ｄ１＜Ｗ１）。
【００２４】
なお、燃料電池ユニット１２の正面１２ｄ及び背面１２ｃは、説明の都合上付した名称であり、表面の意匠性の違いや設置状態での向きを限定するものではない。また、燃料電池ユニット１２の左側面１２ｅ及び右側面１２ｆも、説明の都合上付した名称であり、表面の意匠性の違いや設置状態での向きを限定するものではない。
【００２５】
筐体１２ａの右側面１２ｆは、燃料電池側メンテナンス面１２ｂを構成している。ここで、メンテナンス面とは、保守点検を行う際にその一部または全部が開放される面を言う。燃料電池側メンテナンス面１２ｂは、例えばフレームにヒンジを介して固定された扉構造や、周縁部がネジで固定された取り外し可能なパネル構造が挙げられる。これにより、燃料電池側メンテナンス面１２ｂを開放することで、燃料電池ユニット１２内部のメンテナンスが行える。
【００２６】
この燃料電池側メンテナンス面１２ｂには、排気部の一例である排気口１３が設けられている。また、燃料電池側メンテナンス面１２ｂには、配管および配線の接続作業を行うための配管・配線部１２ｉが設けられており、燃料電池ユニット１２に接続された配管や配線類が延出するように構成されている。なお、このようなメンテナンス面を、追加的に例えば天面１２ｈ、背面１２ｃ、正面１２ｄに設定しても良い。
【００２７】
給湯器ユニット１４は、奥行寸法より幅寸法が長い直方体形状に形成されており、下側を構成する下部構成部１６と、上側を構成する給湯器本体１８と備えている。下部構成部１６としては、一例として据置台が挙げられる。
【００２８】
ここで、本実施形態では、給湯器本体１８の下部に据置台等の下部構成部１６を設けて給湯器本体１８を設置する場合について説明するが、これに限定されるものではない。例えば、給湯器本体１８を建物壁に据え付ける壁掛けタイプの場合、据置台等の下部構成部１６は不要となる。
【００２９】
下部構成部１６及び給湯器本体１８からなる給湯器ユニット１４の筐体１４ａは、横幅方向に位置する左側面１４ｅから右側面１４ｆまでの幅寸法をＷ２、底面１４ｇから天面１４ｈまでの高さ寸法をＨ２、正面１４ｄから背面１４ｃまでの奥行寸法をＤ２とすると、奥行寸法Ｄ２より幅寸法Ｗ２が長い（Ｄ２＜Ｗ２）。
【００３０】
なお、給湯器ユニット１４の正面１４ｄ及び背面１４ｃは、説明の都合上付した名称であり、表面の意匠性の違いや設置状態での向きを限定するものではない。また、給湯器ユニット１４の左側面１４ｅ及び右側面１４ｆも、説明の都合上付した名称であり、表面の意匠性の違いや設置状態での向きを限定するものではない。
【００３１】
給湯器本体１８の筐体１８ａの右側面（給湯器ユニット１４の右側面１４ｆの上部）は、排気口を有する給湯器側メンテナンス面１８ｂを構成しており、給湯器側メンテナンス面１８ｂは、例えばフレームにヒンジを介して固定された扉構造や、周縁部がネジで固定された取り外し可能なパネル構造が挙げられる。これにより、給湯器側メンテナンス面１８ｂを開放することで、給湯器本体１８内部のメンテナンスが行える。
【００３２】
また、下部構成部１６の筐体１６ａの右側面（給湯器ユニット１４の右側面１４ｆの下部）も、例えばメンテナンス面１６ｂを構成しており、このメンテナンス面１６ｂは、例えばフレームにヒンジを介して固定された扉構造や、周縁部がネジで固定された取り外し可能なパネル構造が挙げられる。これにより、メンテナンス面１６ｂを開放することで、例えば給湯器本体１８に接続された配管および配線等のメンテナンスが行える。
【００３３】
そして、給湯器ユニット１４の奥行寸法Ｄ２は、燃料電池ユニット１２の奥行寸法Ｄ１より短く設定されている。ここで、この給湯器ユニット１４としては、外形寸法がそれぞれ異なる標準タイプやスリムタイプやコンパクトタイプが用意されており、どのタイプの給湯器ユニット１４を利用しても良い。
【００３４】
燃料電池システム１０の燃料電池ユニット１２は、図２に示すように、発電を行う燃料電池モジュール２０を備えている。燃料電池モジュール２０は、ガス供給路２１を介して、ガス継手２２に接続されており、ガス継手２２には、ガス管２４が接続されている。ガス管２４からは炭化水素原料の一例であるメタンを主成分とする都市ガスまたはプロパン・ブタンを主成分に持つ液化石油ガスが燃料として供給される。ガス供給路２１には、脱硫部２６が設けられており、供給されるガスに含まれた硫黄分や硫黄化合物が脱硫部２６で除去されて燃料電池モジュール２０に供給される。なお、図２には、都市ガスを用いた場合が一例として挙げられている。
【００３５】
また、燃料電池モジュール２０は、供給ポンプ２８を有する改質水流入路３０を介して改質水タンク３２に接続されており、燃料電池モジュール２０には、改質水タンク３２に貯留された改質水が供給ポンプ２８で供給される。この燃料電池モジュール２０は、都市ガスまたは液化石油ガスと改質水とを改質反応させて水素等を生成する図外の改質器を備えている。
【００３６】
この燃料電池モジュール２０は、図２に示したように、改質器で生成した水素とブロア２０ａで送られた空気中の酸素を利用して発電を行う図示しない発電部を備えている。燃料電池モジュール２０の発電部からの直流電力は、インバーター回路３８によって交流電力に変換された後、接続端子４０に接続された電源コード９２を介して外部へ供給される。
【００３７】
燃料電池モジュール２０には、改質や発電でガスを利用する際に発生した排ガスを排出する排出路３４が接続されている。排出路３４には、排気熱交換機３６が設けられており、排気熱交換機３６より下流側が改質水タンク３２に接続されている。燃料電池モジュール２０からの燃焼排ガスは、排気熱交換機３６で冷却され、含有した水蒸気が凝縮される。これにより、燃焼排ガスは、液体と気体とに分けられ、液体は改質水タンク３２へ送られて改質水として再利用される。また、気体は、図１に示したように、燃料電池側メンテナンス面１２ｂの排気口１３より排気される。
【００３８】
排気熱交換機３６には、供給路４２が接続されている。供給路４２には、熱回収ポンプ４４及びラジエータ４６が設けられており、供給路４２は、ラジエータ４６の上流側が貯湯タンク４８に接続されている。貯湯タンク４８には、伝熱媒体５０が貯留されており、伝熱媒体５０としては、一例として水が使用されている。
【００３９】
この供給路４２は、貯湯タンク４８の下部に接続されており、貯湯タンク４８の下部に貯留した伝熱媒体５０が優先的に排気熱交換機３６へ送られる。貯湯タンク４８から供給路４２に供給された伝熱媒体５０は、ラジエータ４６で冷却された後、熱回収ポンプ４４によって排気熱交換機３６へ送られる。なお、ラジエータ４６は、図示しないラジエータファンを備えており、供給される伝熱媒体５０が高温の際など必要に応じてファンモータを作動する。
【００４０】
排気熱交換機３６には、排出路５２が接続されており、排気熱交換機３６を通過した伝熱媒体５０は、排出路５２を介して貯湯タンク４８に戻される。排出路５２は、貯湯タンク４８の上部に接続されている。燃料電池モジュール２０からの燃焼排ガスの熱は、排気熱交換機３６によって伝熱媒体５０へ移動され、この熱で加熱された伝熱媒体５０は、貯湯タンク４８の上部に戻される。
【００４１】
貯湯タンク４８に貯留された伝熱媒体５０は、上水熱交換器５４及び加熱ポンプ５６を有した循環路５８を介して貯湯タンク４８へ戻される。加熱ポンプ５６は、貯湯タンク４８の伝熱媒体５０で上水を加熱する際に作動する。
【００４２】
循環路５８の上流側は、貯湯タンク４８の上部に接続されており、貯湯タンク４８の上部に貯留された伝熱媒体５０が優先的に上水熱交換器５４へ供給される。循環路５８の下流側は、貯湯タンク４８の下部に接続されており、上水熱交換器５４で熱が奪われた伝熱媒体５０は、貯湯タンク４８の下部側に戻される。
【００４３】
上水熱交換器５４には、流入側分岐点６０ａを有する流入路６０が接続されている。流入路６０は、入側管継手６２に接続されている。入側管継手６２は、例えば水道管の給水管６４に接続されており、流入路６０には、上水が供給される。
【００４４】
上水熱交換器５４には、流出路６６が接続されている。流出路６６には、流出側分岐点６６ａが設けられており、流出側分岐点６６ａには、補水弁６８を有した補水路７０が接続されている。補水路７０は、貯湯タンク４８の上部に接続されており、補水弁６８を開作動することで、上水熱交換器５４からの上水を伝熱媒体５０として貯湯タンク４８の上部から供給することができる。
【００４５】
流出路６６の流出側分岐点６６ａの下流には、混合弁７２が設けられている。混合弁７２は、バイパス路７４を介して流入側分岐点６０ａに接続されている。混合弁７２は、流入路６０からの上水と上水熱交換器５４からの上水とを混合する弁であり、例えば流出温が予め定められた設定温度となるように、流入路６０からの上水と上水熱交換器５４からの上水との混合比を調整する。
【００４６】
流出路６６の混合弁７２より下流側は、出側継手７６が接続されており、出側継手７６は、出湯管７８を介して、給湯器ユニット１４の入水継手８０に接続されている。
【００４７】
給湯器ユニット１４のガス継手８２には、ガス管２４が接続されており、給湯器ユニット１４には、ガス管２４から都市ガスまたはプロパン・ブタンを主成分に持つ液化石油ガスが供給される。また、給湯器ユニット１４の給湯継手８４には、給湯管８６が接続されている。この給湯器ユニット１４は、都市ガスまたはプロパン・ブタンを主成分に持つ液化石油ガスを燃焼することで、入水継手８０より供給された上水を、図外のリモコンで設定された温度まで加熱し給湯管８６によって供給する。
【００４８】
なお、本実施形態では、燃料電池ユニット１２からのガス管２４と給湯器ユニット１４からのガス管２４とを互いに接続してガス供給源に接続する場合について説明したが、これに限定されるものではない。燃料電池ユニット１２からのガス管２４と給湯器ユニット１４からのガス管２４とを、それぞれ独立してガス供給源に接続してもよい。
【００４９】
図３は、燃料電池システム１０の配置構造を示す図であり、燃料電池システム１０が隣地境界線（後述する通路９０の他側縁９０ｂ）に沿って延在する通路９０に設置された状態が示されている。
【００５０】
この通路９０には、通路９０の長さ方向Ｎの一方Ｉ側に燃料電池ユニット１２が設置されており、燃料電池ユニット１２は、燃料電池側メンテナンス面１２ｂが一方Ｉ側に位置するように配置されている。この燃料電池ユニット１２は、一例として通路９０の建物１１０側の一側縁９０ａ寄りに配置されており、燃料電池ユニット１２の正面１２ｄが一側縁９０ａ側に位置するように配置されている。なお、図３では、燃料電池ユニット１２と通路９０の一側縁９０ａとの間に配索された配管および配線を明確にするために、燃料電池ユニット１２と通路９０の一側縁９０ａとの間隔が広めに表示されている。
【００５１】
また、本実施形態では、燃料電池ユニット１２を通路９０の一側縁９０ａ寄りに配置した場合を例に挙げて説明したが、これに限定されるものではく、燃料電池ユニット１２を通路９０の他側縁９０ｂ寄りに配置してもよい。また、燃料電池ユニット１２の正面１２ｄとは、前述したように便宜上付した名称であり、表面の意匠性の違いや設置状態での向きを限定するものではない。
【００５２】
また、燃料電池ユニット１２より通路９０の長さ方向Ｎの他方Ｔ側には、給湯器ユニット１４が設置されており、給湯器本体１８の給湯器側メンテナンス面１８ｂ及び下部構成部１６のメンテナンス面１６ｂが他方Ｔ側に位置するように配置されている（図１参照）。この給湯器ユニット１４も、一例として通路９０の建物１１０側の一側縁９０ａ寄りに配置されており、給湯器ユニット１４の背面１４ｃが一側縁９０ａ側に位置するように配置されている。
【００５３】
また、本実施形態では、給湯器ユニット１４を通路９０の一側縁９０ａ寄りに配置した場合を例に挙げて説明したが、これに限定されるものではく、給湯器ユニット１４を通路９０の他側縁９０ｂ寄りに配置してもよい。また、給湯器ユニット１４の背面１４ｃとは、前述したように便宜上付した名称であり、表面の意匠性の違いや設置状態での向きを限定するものではない。
【００５４】
燃料電池ユニット１２の燃料電池側メンテナンス面１２ｂ側からは、ガス管２４と出湯管７８と給水管６４が延出している。各管２４、６４、７８は、燃料電池ユニット１２の背面１２ｃと燃料電池ユニット１２に近接した通路９０の一側縁９０ａとの間を通り、一側縁９０ａに沿って配索されている。給水管６４は、水道管の配水管に接続されており、ガス管２４は、給湯器ユニット１４に接続されるとともに、ガス本管に接続されている。また、出湯管７８は、給湯器ユニット１４に接続されている。
【００５５】
燃料電池ユニット１２の燃料電池側メンテナンス面１２ｂ側からは、燃料電池ユニット１２へ給電を行う給電線や燃料電池ユニット１２で発電した電力を供給する供給線を有した電源コード９２が延出している。この給電線や供給線は、同一の線で共用しても良い。また、燃料電池側メンテナンス面１２ｂからは、例えば電流監視線やリモコン線や停電時発電コンセントや給湯器ユニット１４に接続される電源線等も延出する場合がある。
【００５６】
電源コード９２は、燃料電池ユニット１２の背面１２ｃと通路９０の一側縁９０ａとの間を通り、一側縁９０ａに沿って配索されている。この電源コード９２は、通路９０の一側縁９０ａ側に設けられた配電盤９４に接続されており、この配電盤９４を介して商用電源に接続されている。
【００５７】
なお、本実施形態では、配電盤９４を燃料電池ユニット１２と給湯器ユニット１４との間に設けた場合を例に挙げて説明したが、これに限定されるものではない。配電盤９４は、作業者がアクセスしてメンテナンスすることができれば、例えば燃料電池ユニット１２の一方Ｉ側や、燃料電池ユニット１２の裏側や、給湯器本体１８の裏側や、給湯器本体１８より他方Ｔ側に設けても良い。
【００５８】
給湯器ユニット１４からは、給湯管８６が背面１４ｃ側から延出しており、給湯管８６は、建物１１０内でお湯が利用される箇所へ配索されている。また、給湯器ユニット１４からは、電源コード９６が背面１４ｃ側から延出しており、電源コード９６は、商用電源に接続されている。なお、この電源コード９６は、商用電源に代えて燃料電池ユニット１２に接続しても良い。
【００５９】
ここで、通路９０の一側縁９０ａを構成する隣地境界線から通路９０の他側縁９０ｂを構成する建物１１０までの最小距離は、隣地境界線から建物１１０の外壁１１０ａまでの離間距離を定める法律（境界線付近の建物の制限：民法２３４条）によって定められている。
【００６０】
通路９０の他側縁９０ｂを構成する隣地境界線は、隣接した敷地と敷地の境界の線を示し、通路９０の一側縁９０ａは、建物１１０の外壁１１０ａとの境を示す。そして、通路９０は、隣地境界線と建物１１０の外壁１１０ａとの間に建物１１０に沿って形成された細長い領域（例えば５００ｍｍ〜７３０ｍｍ）を示す。
【００６１】
この通路９０の通路幅９０ｃの最小幅を境界線付近の建物の制限による最小距離（５００ｍｍ）とし、この最小幅において燃料電池ユニット１２と通路９０の一側縁９０ａ間に配管・配線スペース９８を確保しても、燃料電池ユニット１２の正面１２ｄと通路９０の他側縁９０ｂ間に第一スペース１００を形成できるように燃料電池ユニット１２の奥行寸法Ｄ１が設定されている。
【００６２】
一方、給湯器ユニット１４の奥行寸法Ｄ２は、燃料電池ユニット１２の奥行寸法Ｄ１より短く設定されている。そして、前述した通路幅９０ｃの通路９０に設置しても、給湯器ユニット１４の正面１４ｄと通路９０の他側縁９０ｂとの間に、第一スペース１００より幅広の第二スペース１０２を形成できるように給湯器ユニット１４の奥行寸法Ｄ２が設定されている。
【００６３】
次に、本実施形態の作用及び効果について説明する。
【００６４】
本実施形態にあっては、燃料電池ユニット１２と給湯器ユニット１４とは、固定されておらず、それぞれ任意の位置に配置することができる。このため、燃料電池ユニット１２と給湯器ユニット１４とを架台で一体化して位置決めする場合と比較して、配置の自由度が向上するとともに、設置場所への搬入が容易となる。
【００６５】
また、燃料電池ユニット１２の燃料電池側メンテナンス面１２ｂは、通路９０の長さ方向Ｎの一方Ｉ側に位置するように給湯器ユニット１４と逆側に配置されている。また、給湯器ユニット１４の給湯器側メンテナンス面１８ｂは、通路９０の長さ方向Ｎの他方Ｔ側に位置するように燃料電池ユニット１２と逆側に配置されている。
【００６６】
これにより、狭小な通路９０に燃料電池ユニット１２と給湯器ユニット１４とを並設した場合であっても、通路９０の一方Ｉ側から近づくことで、燃料電池側メンテナンス面１２ｂから燃料電池ユニット１２をメンテナンスすることができる。また、通路９０の他方Ｔ側から近づくことで、給湯器側メンテナンス面１８ｂから給湯器ユニット１４をメンテナンスすることができる。
【００６７】
このため、燃料電池ユニット１２と給湯器ユニット１４間にアクセス（進入）しにくい狭小な通路９０に、燃料電池側メンテナンス面１２ｂと給湯器側メンテナンス面１８ｂとが対向するように両ユニット１２、１４を配置した場合と比較して、燃料電池ユニット１２及び給湯器ユニット１４のメンテナンスが可能となる。
【００６８】
したがって、配置の自由度を維持しつつ、メンテナンス性の向上を図ることができる。
【００６９】
また、燃料電池ユニット１２の燃料電池側メンテナンス面１２ｂ側から延出した配管および配線は、燃料電池ユニット１２と燃料電池ユニット１２に近接した通路９０の一側縁９０ａとの間に配索され、ガス管２４や出湯管７８は、給湯器ユニット１４に接続されている。
【００７０】
これにより、配管を燃料電池ユニット１２と建物１１０との間に配索できるので、配管および配線が燃料電池ユニット１２の表側に配索される場合と比較して、設置状態での外観品質を高めることができる。また、第一スペース１００の幅寸法を、人が通行可能な例えば３００ｍｍ以上とすることができる場合においては、第一スペース１００を通る際に配管および配線を踏みつけるといった不具合を未然に抑制することができる。
【００７１】
なお、本実施形態では、通路９０の図３中左側を長さ方向Ｎの一方Ｉ側とするとともに、図３中右側を他方Ｔ側とした場合を例に挙げて説明したが、これに限定されるものではない。
【００７２】
（他の実施形態）
図４は他の実施形態を示す図であり、前述した実施形態と同一または同等部分については、同符号を付して説明を割愛するとともに、異なる部分について説明する。
【００７３】
すなわち、本実施形態では、通路９０の図４中右側が長さ方向Ｎの一方Ｉ側とされ、図４中左側が他方Ｔ側とされている。この場合、一方Ｉ側に燃料電池側メンテナンス面１２ｂが位置するように燃料電池ユニット１２を配置し、燃料電池ユニット１２の他方Ｔ側に給湯器ユニット１４を配置する。このとき、給湯器側メンテナンス面１８ｂが他方Ｔ側を向くように燃料電池ユニット１２を配置する。
【００７４】
本実施形態においても、前述の実施形態と同様の作用効果を得ることができる。
【００７５】
なお、各実施形態では、通路９０の直線部分に、燃料電池ユニット１２と給湯器ユニット１４とを配置したが、これに限定されるものではない。
【００７６】
すなわち、建物１１０の角に沿って通路９０が曲がっており、例えば建物１１０の北側の通路部分と西側の通路部分とでコーナーが形成されている場合、北側の通路端に燃料電池ユニット１２を設置し、西側の通路端に給湯器ユニット１４を設置してもよい。
【００７７】
この場合、北側の通路と西側の通路とが接続された部位と逆側に、燃料電池側メンテナンス面１２ｂ及び給湯器側メンテナンス面１８ｂが位置するように、燃料電池ユニット１２及び燃料電池ユニット１２を配置すれば、前述した効果を得ることができる。
【００７８】
また、各実施形態では、各配管等を燃料電池ユニット１２と建物１１０との間に配索した場合にいて説明したが、これに限定されるものではない。例えば、燃料電池ユニット１２と建物１１０の反対側の通路に配索したり、燃料電池ユニット１２の下部空間に配索したり、燃料電池ユニット１２の下部の地中に配索してもよい。
【符号の説明】
【００７９】
１０    燃料電池システム
１２    燃料電池ユニット
１２ｂ  燃料電池側メンテナンス面
１４    給湯器ユニット
１６ｂ  メンテナンス面
１８ｂ  給湯器側メンテナンス面
２４    ガス管
６４    給水管
７８    出湯管
８６    給湯管
９０    通路
９０ａ  一側縁
９８    配管・配線スペース
１１０  建物
Ｉ      一方
Ｔ      他方
Ｎ      長さ方向
【図１】
2018156726.tif 000003
【図２】
2018156726.tif 000004
【図３】
2018156726.tif 000005
【図４】
2018156726.tif 000006
【手続補正書】
【提出日】平成29年6月15日(2017.6.15)
【手続補正１】
【補正対象書類名】明細書
【補正対象項目名】０００８
【補正方法】変更
【補正の内容】
【０００８】
第一態様では、設置される通路の長さ方向の一方側に燃料電池側メンテナンス面が位置するように配置された燃料電池ユニットと、該燃料電池ユニットに対して前記長さ方向の他方側に配置され、前記燃料電池ユニットから送られた上水を設定温度まで加熱して供給するとともに、排気口が設けられ内部のメンテナンスを行う為の給湯器側メンテナンス面が前記長さ方向の他方側に位置するように配置された給湯器ユニットと、を有する。
【手続補正２】
【補正対象書類名】特許請求の範囲
【補正対象項目名】全文
【補正方法】変更
【補正の内容】
【特許請求の範囲】
【請求項１】
設置される通路の長さ方向の一方側に燃料電池側メンテナンス面が位置するように配置された燃料電池ユニットと、
該燃料電池ユニットに対して前記長さ方向の他方側に配置され、前記燃料電池ユニットから送られた上水を設定温度まで加熱して供給するとともに、排気口が設けられ内部のメンテナンスを行う為の給湯器側メンテナンス面が前記長さ方向の他方側に位置するように配置された給湯器ユニットと、
を有する燃料電池システムの配置構造。
【請求項２】
前記燃料電池ユニットは、燃料ガスを利用して発電する燃料電池モジュールと、燃料電池モジュールからの熱で加熱された伝熱媒体を貯留するタンクとを備える請求項１記載の燃料電池システムの配置構造。
【請求項３】
前記燃料電池ユニットの前記燃料電池側メンテナンス面側から延出した配管が、当該燃料電池ユニットと通路側縁との間に配索され前記給湯器ユニットに接続されている請求項１又は請求項２に記載の燃料電池システムの配置構造。
【請求項４】
前記配管は、建物との境を構成する前記通路側縁と前記燃料電池ユニットとの間に配索される請求項３記載の燃料電池システムの配置構造。
【手続補正書】
【提出日】平成30年3月30日(2018.3.30)
【手続補正１】
【補正対象書類名】明細書
【補正対象項目名】０００８
【補正方法】変更
【補正の内容】
【０００８】
第一態様では、奥行寸法より幅寸法が長い直方体形状に形成され、幅方向の端面が構成する燃料電池側メンテナンス面が、設置される通路の長さ方向の一方側に位置するように配置された燃料電池ユニットと、該燃料電池ユニットから送られた上水を設定温度まで加熱して供給するとともに、奥行寸法より幅寸法が長い直方体形状に形成され、幅方向の端面が構成しかつ排気口が設けられ内部のメンテナンスを行う為の給湯器側メンテナンス面が、前記長さ方向の他方側に位置した状態で前記燃料電池ユニットに対して前記長さ方向の他方側に配置された給湯器ユニットと、を有し、前記燃料電池ユニットの前記燃料電池側メンテナンス面と、前記排気口が設けられた前記給湯器ユニットの前記給湯器側メンテナンス面とが逆向きとなるように、前記燃料電池ユニット及び前記給湯器ユニットが前記通路の前記長さ方向に並べて配置され、前記燃料電池ユニットは、前記給湯器ユニットに接続される配管が前記燃料電池側メンテナンス面側から延出する。
【手続補正２】
【補正対象書類名】特許請求の範囲
【補正対象項目名】全文
【補正方法】変更
【補正の内容】
【特許請求の範囲】
【請求項１】
奥行寸法より幅寸法が長い直方体形状に形成され、幅方向の端面が構成する燃料電池側メンテナンス面が、設置される通路の長さ方向の一方側に位置するように配置された燃料電池ユニットと、
該燃料電池ユニットから送られた上水を設定温度まで加熱して供給するとともに、奥行寸法より幅寸法が長い直方体形状に形成され、幅方向の端面が構成しかつ排気口が設けられ内部のメンテナンスを行う為の給湯器側メンテナンス面が、前記長さ方向の他方側に位置した状態で前記燃料電池ユニットに対して前記長さ方向の他方側に配置された給湯器ユニットと、
を有し、
前記燃料電池ユニットの前記燃料電池側メンテナンス面と、前記排気口が設けられた前記給湯器ユニットの前記給湯器側メンテナンス面とが逆向きとなるように、前記燃料電池ユニット及び前記給湯器ユニットが前記通路の前記長さ方向に並べて配置され、
前記燃料電池ユニットは、前記給湯器ユニットに接続される配管が前記燃料電池側メンテナンス面側から延出する燃料電池システムの配置構造。
【請求項２】
前記燃料電池ユニットは、燃料ガスを利用して発電する燃料電池モジュールと、燃料電池モジュールからの熱で加熱された伝熱媒体を貯留するタンクとを備える請求項１記載の燃料電池システムの配置構造。
【請求項３】
前記燃料電池ユニットの前記燃料電池側メンテナンス面側から延出した配管が、当該燃料電池ユニットと通路側縁との間に配索され前記給湯器ユニットに接続されている請求項１又は請求項２に記載の燃料電池システムの配置構造。
【請求項４】
前記配管は、建物との境を構成する前記通路側縁と前記燃料電池ユニットとの間に配索される請求項３記載の燃料電池システムの配置構造。